(57)【要約】  同軸ケーブル（２）（３０）は、中心導体層（４）と、中心導体層の周囲を被覆する絶縁体層（６）と、絶縁体層の周囲を被覆する外部導体層（８）と、外部導体層の周囲を被覆するセパレータ層（１０）（３２）と、セパレータ層の周囲を被覆する電波吸収樹脂層（１２）と、電波吸収樹脂層の周囲を被覆する外皮（１４）と、を備え、電波吸収樹脂層（１２）は、樹脂に磁性体を混合した材料で形成されており、セパレータ層（１０）（３２）は、外部導体層の周囲にテープ状の部材が隙間なく重なるように巻いて形成されている。
2019021716.tif 000002
【特許請求の範囲】
【請求項１】
中心導体層と、  前記中心導体層の周囲を被覆する絶縁体層と、  前記絶縁体層の周囲を被覆する外部導体層と、  前記外部導体層の周囲を被覆するセパレータ層と、  前記セパレータ層の周囲を被覆する電波吸収樹脂層と、  前記電波吸収樹脂層の周囲を被覆する外皮と、を備え、  前記電波吸収樹脂層は、樹脂に磁性体を混合した材料で形成されており、  前記セパレータ層は、前記外部導体層の周囲にテープ状の部材が隙間なく重なるように巻いて形成されている、同軸ケーブル。
【請求項２】
前記セパレータ層は、前記テープ状の部材を前記同軸ケーブルの軸方向に向かって、らせん状に巻いて形成されている、請求項１に記載の同軸ケーブル。
【請求項３】
前記セパレータ層は、前記テープ状の部材の長辺を前記同軸ケーブルの軸方向と平行として前記テープ状の部材を前記同軸ケーブルの周方向に巻いて形成されている、請求項１に記載の同軸ケーブル。
【請求項４】
前記セパレータ層を構成する前記テープ状の部材はＰＥＴフィルムである、請求項１から３のいずれか１つに記載の同軸ケーブル。
【請求項５】
前記セパレータ層を構成する前記テープ状の部材には磁性体が含まれる、請求項１から４のいずれか１つに記載の同軸ケーブル。
【請求項６】
前記電波吸収樹脂層を形成する前記材料において、前記樹脂はウレタン系樹脂であり、前記磁性体はフェライトである、請求項１から５のいずれか１つに記載の同軸ケーブル。
【請求項７】
前記請求項１から６のいずれか１つに記載の同軸ケーブルと、  前記同軸ケーブルの前記中心導体層に接続される内部端子と、  前記同軸ケーブルの前記外部導体層に接続される外部端子と、  前記内部端子と前記外部端子との間に配置される絶縁性部材と、を備え、  前記内部端子および前記外部端子を介して相手方コネクタに接続される、同軸ケーブル付き同軸コネクタ。
【請求項８】
同軸ケーブルの製造方法であって、  中心導体層と、前記中心導体層の周囲を被覆する絶縁体層と、前記絶縁体層の周囲を被覆する外部導体層とを備える中間体を準備するステップと、  前記中間体の周囲にテープ状の部材を隙間なく重なるように巻くことにより、前記外部導体層の周囲を被覆するセパレータ層を形成するステップと、  前記セパレータ層が形成された前記中間体の周囲に、樹脂に磁性体を混合した材料を押出成形することにより、前記セパレータ層の周囲を被覆する電波吸収樹脂層を形成するステップと、  前記電波吸収樹脂層の周囲を被覆するように外皮を形成するステップと、  を含む、同軸ケーブルの製造方法。
【請求項９】
前記セパレータ層を形成するステップは、前記テープ状の部材を前記同軸ケーブルの軸方向に向かって、らせん状に巻くステップを含む、請求項８に記載の同軸ケーブルの製造方法。
【請求項１０】
前記セパレータ層を形成するステップは、前記テープ状の部材の長辺を前記同軸ケーブルの軸方向と平行として前記テープ状の部材を前記同軸ケーブルの周方向に巻くステップを含む、請求項８に記載の同軸ケーブルの製造方法。
【請求項１１】
前記セパレータ層を形成するステップでは、前記テープ状の部材として、ＰＥＴフィルムを用いる、請求項８から１０のいずれか１つに記載の同軸ケーブルの製造方法。
【請求項１２】
前記セパレータ層を形成するステップでは、前記テープ状の部材として、磁性体を含むテープ状の部材を用いる、請求項８から１１のいずれか１つに記載の同軸ケーブルの製造方法。
【請求項１３】
前記電波吸収樹脂層を形成するステップでは、前記樹脂がウレタン系樹脂、前記磁性体がフェライトである材料を押出成形することにより、前記電波吸収樹脂層を形成する、請求項８から１２のいずれか１つに記載の同軸ケーブルの製造方法。
【発明の詳細な説明】
【技術分野】
【０００１】  本発明は、同軸ケーブルおよびその製造方法並びに同軸ケーブル付き同軸コネクタに関する。
【背景技術】
【０００２】  従来より、高周波信号等を伝送するための同軸ケーブルが知られている（例えば、特許文献１参照）。【０００３】  特許文献１の同軸ケーブルは、中心側から順に、中心導体層、絶縁体層、外部導体層、外皮を備えている。
【先行技術文献】
【特許文献】
【０００４】
【特許文献１】実公昭６０−１００２６号公報
【発明の概要】
【発明が解決しようとする課題】
【０００５】  一方、同軸ケーブルの分野においては同軸ケーブルによる高周波信号の伝送性能（伝送損失特性）が重要視されている。特許文献１に開示されるような同軸ケーブルを含めて、高周波信号の伝送損失特性の劣化を抑制させることができる技術の開発が求められている。【０００６】  従って、本発明の目的は、前記問題を解決することにあって、高周波信号の伝送損失特性の劣化を抑制させることができる同軸ケーブルおよびその製造方法並びに同軸ケーブル付き同軸コネクタを提供することにある。
【課題を解決するための手段】
【０００７】  前記目的を達成するために、本発明の同軸ケーブルは、中心導体層と、前記中心導体層の周囲を被覆する絶縁体層と、前記絶縁体層の周囲を被覆する外部導体層と、前記外部導体層の周囲を被覆するセパレータ層と、前記セパレータ層の周囲を被覆する電波吸収樹脂層と、前記電波吸収樹脂層の周囲を被覆する外皮と、を備え、前記電波吸収樹脂層は、樹脂に磁性体を混合した材料で形成されており、前記セパレータ層は、前記外部導体層の周囲にテープ状の部材が隙間なく重なるように巻いて形成されている。【０００８】  また本発明の同軸ケーブル付き同軸コネクタは、前記同軸ケーブルと、前記同軸ケーブルの前記中心導体部に接続される内部端子と、前記同軸ケーブルの前記外部導体部に接続される外部端子と、前記内部端子と前記外部端子との間に配置される絶縁性部材と、を備え、前記内部端子および前記外部端子を介して相手方コネクタに接続される。【０００９】  また本発明の同軸ケーブルの製造方法は、中心導体層と、前記中心導体層の周囲を被覆する絶縁体層と、前記絶縁体層の周囲を被覆する外部導体層とを備える中間体を準備するステップと、前記中間体の周囲にテープ状の部材が隙間なく重なるように巻くことにより、前記外部導体層の周囲を被覆するセパレータ層を形成するステップと、前記セパレータ層が形成された前記中間体の周囲に、樹脂に磁性体を混合した材料を押出成形することにより、前記セパレータ層の周囲を被覆する電波吸収樹脂層を形成するステップと、前記電波吸収樹脂層の周囲を被覆するように外皮を形成するステップと、を含む。
【発明の効果】
【００１０】  本発明の同軸ケーブルおよびその製造方法並びに同軸ケーブル付き同軸コネクタによれば、信号の伝送損失特性の劣化を抑制させることができる。
【図面の簡単な説明】
【００１１】
【図１Ａ】実施の形態１の同軸ケーブルの縦断面図
【図１Ｂ】実施の形態１の同軸ケーブルの斜視図
【図２】実施の形態１の同軸ケーブルが接続された同軸ケーブル付き同軸コネクタの斜視図
【図３】実施の形態１の同軸コネクタおよび同軸ケーブル（接続前）を示す分解斜視図
【図４Ａ】実施の形態１のセパレータ層を含む同軸ケーブルの斜視図
【図４Ｂ】図４ＡのＢ部拡大図
【図５】セパレータ層と外部導体層の展開図
【図６Ａ】実施の形態１の同軸ケーブルの製造方法を説明するための図
【図６Ｂ】実施の形態１の同軸ケーブルの製造方法を説明するための図
【図６Ｃ】実施の形態１の同軸ケーブルの製造方法を説明するための図
【図６Ｄ】実施の形態１の同軸ケーブルの製造方法を説明するための図
【図６Ｅ】実施の形態１の同軸ケーブルの製造方法を説明するための図
【図６Ｆ】実施の形態１の同軸ケーブルの製造方法を説明するための図
【図７Ａ】実施の形態２のセパレータ層を含む同軸ケーブルの斜視図
【図７Ｂ】図７ＡのＤ部拡大図
【発明を実施するための形態】
【００１２】  本発明の第１態様によれば、中心導体層と、前記中心導体層の周囲を被覆する絶縁体層と、前記絶縁体層の周囲を被覆する外部導体層と、前記外部導体層の周囲を被覆するセパレータ層と、前記セパレータ層の周囲を被覆する電波吸収樹脂層と、前記電波吸収樹脂層の周囲を被覆する外皮と、を備え、前記電波吸収樹脂層は、樹脂に磁性体を混合した材料で形成されており、前記セパレータ層は、前記外部導体層の周囲にテープ状の部材が隙間なく重なるように巻いて形成されている、同軸ケーブルを提供する。
【００１３】  このような構成によれば、樹脂に磁性体を混合した材料により電波吸収樹脂層を形成することで、外部電波に対するシールド性を向上させることができ、同軸ケーブルによる信号の伝送損失特性の劣化を抑制させることができる。また、電波吸収樹脂層と外部導体層の間のセパレータ層をテープ状の部材を隙間なく重ねて巻いて形成することで、電波吸収樹脂層を構成する材料である磁性体が外部導体層の内部に流れ込むことを防止することができる。これにより、同軸ケーブルによる信号の伝送損失特性の劣化をさらに抑制させることができる。
【００１４】  本発明の第２態様によれば、前記セパレータ層は、前記テープ状の部材を同軸ケーブルの軸方向に向かって、らせん状に巻いて形成されている、第１態様に記載の同軸ケーブルを提供する。このような構成によれば、セパレータ層を簡易な方法で形成することができる。
【００１５】  本発明の第３態様によれば、前記セパレータ層は、前記テープ状の部材の長辺を前記同軸ケーブルの軸方向と平行として前記テープ状の部材を前記同軸ケーブルの周方向に巻いて形成されている、第１態様に記載の同軸ケーブルを提供する。このような構成によれば、セパレータ層を簡易な方法で形成することができる。
【００１６】  本発明の第４態様によれば、前記セパレータ層を構成する前記テープ状の部材はＰＥＴフィルムである、第１態様から第３態様のいずれか１つに記載の同軸ケーブルを提供する。このような構成によれば、セパレータ層を安価に形成することができる。
【００１７】  本発明の第５態様によれば、前記セパレータ層を構成する前記テープ状の部材には磁性体が含まれる、第１態様から第４態様のいずれか１つに記載の同軸ケーブルを提供する。このような構成によれば、電波吸収樹脂層だけでなくセパレータ層にも電波吸収の機能を持たせることができ、同軸ケーブルによる信号の伝送損失特性の劣化をさらに抑制させることができる。
【００１８】  本発明の第６態様によれば、前記電波吸収樹脂層を形成する前記材料において、前記樹脂はウレタン系樹脂であり、前記磁性体はフェライトである、第１態様から第５態様のいずれか１つに記載の同軸ケーブルを提供する。このような構成によれば、汎用的な材料を用いることで生産コストを低減することができる。
【００１９】  本発明の第７態様によれば、前記請求項１から６のいずれか１つに記載の同軸ケーブルと、前記同軸ケーブルの前記中心導体層に接続される内部端子と、前記同軸ケーブルの前記外部導体層に接続される外部端子と、前記内部端子と前記外部端子との間に配置される絶縁性部材と、を備え、前記内部端子および前記外部端子を介して相手方コネクタに接続される、同軸ケーブル付き同軸コネクタを提供する。
【００２０】  このような構成によれば、信号の伝送損失特性の劣化を抑制させた同軸ケーブルを用いることで、同軸ケーブル付き同軸コネクタによる信号の伝送損失特性の劣化を抑制させることができる。
【００２１】  本発明の第８態様によれば、同軸ケーブルの製造方法であって、中心導体層と、前記中心導体層の周囲を被覆する絶縁体層と、前記絶縁体層の周囲を被覆する外部導体層とを備える中間体を準備するステップと、前記中間体の周囲にテープ状の部材を隙間なく重なるように巻くことにより、前記外部導体層の周囲を被覆するセパレータ層を形成するステップと、前記セパレータ層が形成された前記中間体の周囲に、樹脂に磁性体を混合した材料を押出成形することにより、前記セパレータ層の周囲を被覆する電波吸収樹脂層を形成するステップと、前記電波吸収樹脂層の周囲を被覆するように外皮を形成するステップと、を含む、同軸ケーブルの製造方法を提供する。
【００２２】  このような方法によれば、樹脂に磁性体を混合した材料により電波吸収樹脂層を形成することで、外部電波に対するシールド性を向上させることができ、同軸ケーブルによる信号の伝送損失特性の劣化を抑制することができる。また、電波吸収樹脂層と外部導体層の間のセパレータ層をテープ状の部材を隙間なく重ねて巻いて形成することで、電波吸収樹脂層を構成する材料である磁性体が外部導体層の内部に流れ込むことを防止することができる。これにより、同軸ケーブルによる信号の伝送損失特性の劣化を抑制させることができる。
【００２３】  本発明の第９態様によれば、前記セパレータ層を形成するステップは、前記テープ状の部材を前記同軸ケーブルの軸方向に向かって、らせん状に巻くステップを含む、第８態様に記載の同軸ケーブルの製造方法を提供する。このような方法によれば、セパレータ層を簡易な方法で形成することができる。
【００２４】  本発明の第１０態様によれば、前記セパレータ層を形成するステップは、前記テープ状の部材の長辺を前記同軸ケーブルの軸方向と平行として前記テープ状の部材を前記同軸ケーブルの周方向に巻くステップを含む、第８態様に記載の同軸ケーブルの製造方法を提供する。このような方法によれば、セパレータ層を簡易な方法で形成することができる。
【００２５】  本発明の第１１態様によれば、前記セパレータ層を形成するステップでは、前記テープ状の部材として、ＰＥＴフィルムを用いる、第８態様から第１０態様のいずれか１つに記載の同軸ケーブルの製造方法を提供する。このような方法によれば、セパレータ層を安価に形成することができる。
【００２６】  本発明の第１２態様によれば、前記セパレータ層を形成するステップでは、前記テープ状の部材として、磁性体を含むテープ状の部材を用いる、第８態様から第１１態様のいずれか１つに記載の同軸ケーブルの製造方法を提供する。このような方法によれば、電波吸収樹脂層だけでなくセパレータ層にも電波吸収の機能を持たせることで、外部電波に対するシールド性をさらに向上させることができ、同軸ケーブルの性能をより向上させることができる。
【００２７】  本発明の第１３態様によれば、前記電波吸収樹脂層を形成するステップでは、前記樹脂がウレタン系樹脂、前記磁性体がフェライトである材料を押出成形することにより、前記電波吸収樹脂層を形成する、第８態様から第１２態様のいずれか１つに記載の同軸ケーブルの製造方法を提供する。このような方法によれば、汎用的な材料を用いることで生産コストを低減することができる。
【００２８】  以下、本発明に係る同軸ケーブルおよびその製造方法の例示的な実施形態について、添付の図面を参照しながら説明する。本発明は、以下の実施形態の具体的な構成に限定されるものではなく、同様の技術的思想に基づく構成が本発明に含まれる。
【００２９】（実施の形態１）
【００３０】  図１Ａは、実施の形態１の同軸ケーブル２の縦断面図である、図１Ｂは、同軸ケーブル２の斜視図である。図１Ａ、１Ｂに示す同軸ケーブル２は、中心側から順に、中心導体層４と、絶縁体層６と、外部導体層８と、セパレータ層１０と、電波吸収樹脂層１２と、外皮１４とを備える。図１Ｂでは、外皮１４の内側にセパレータ層１０および電波吸収樹脂層１２が配置されており、外皮１４に覆われた部分は露出していない。
【００３１】  図１Ｂに示すように、中心導体層４は絶縁体層６によって外周が全て覆われている。また、同軸ケーブル２の先端側から順に、絶縁体層６、外部導体層８、外皮１４の順に露出している。
【００３２】  本開示の発明は特に、中心導体層４、絶縁体層６、外部導体層８および外皮１４という一般的な同軸ケーブルの構成に加えて、セパレータ層１０および電波吸収樹脂層１２を備えることで、同軸ケーブル２による信号の伝送損失特性の劣化を抑制させている点に特徴がある。具体的な特徴については後述する。
【００３３】  図１Ａ、１Ｂに示す同軸ケーブル２は、図２、図３に示す同軸コネクタ１６に接続されて使用される。
【００３４】  図２は、実施の形態１の同軸コネクタ１６に同軸ケーブル２を接続した状態を示す斜視図（接続後の状態）であり、図３は、同軸コネクタ１６の分解斜視図（接続前の状態）である。
【００３５】  実施の形態１の同軸コネクタ１６は、内部端子１８と、外部端子２０と、絶縁体２２とを備える。内部端子１８および外部端子２０は、導電性の材料により構成された同軸コネクタ１６の端子部である。絶縁体２２は、内部端子１８と外部端子２０の間に配置される絶縁性の部材（例えば樹脂）である。
【００３６】  図２に示す接続後の状態において、内部端子１８は、同軸ケーブル２の中心導体層４に接続され（図示せず）、外部端子２０は、外部導体層８に接続される（図示せず）。同軸コネクタ１６はＬ型同軸コネクタとして構成されており、図２の先端部Ａにおける内部端子１８および外部端子２０が、相手方コネクタの端子（図示せず）に嵌合して接続される。
【００３７】  上述した同軸ケーブル２のセパレータ層１０および電波吸収樹脂層１２について説明する。
【００３８】  セパレータ層１０は、外部導体層８と電波吸収樹脂層１２を分離するための層である。本実施の形態１のセパレータ層１０は後述するように、テープ状の部材を同軸ケーブルの軸方向に向かって、らせん状に巻いて形成される。
【００３９】  電波吸収樹脂層１２は、電波を吸収する機能を有する層であり樹脂で形成されている。電波吸収樹脂層１２を設けることにより、外部電波に対するシールド性を向上させることができ、同軸ケーブル２による信号の伝送損失特性の劣化を抑制させることができる。
【００４０】  電波吸収樹脂層１２は、樹脂を主材料として、樹脂に磁性体を混合した材料で形成されている。磁性体を混合することで、電波吸収の機能を発揮することができる。また樹脂を含むことで、電波吸収樹脂層１２を押出成形により製造することができる。
【００４１】  本実施の形態１では、樹脂としてウレタン系樹脂を用い、磁性体としてフェライトを用いている。このような汎用的な材料を用いることで、電波吸収樹脂層１２を安価に形成することができる。
【００４２】  セパレータ層１０の周囲に電波吸収樹脂層１２を押出成形する際に、セパレータ層１０に隙間があると、電波吸収樹脂層１２を形成する材料中の磁性体が外部導体層８の内部に流れ込む場合がある。特に外部導体層８は、導電性が高い銅、銅合金等で形成されている複数の素線が編み込まれた編組導体層や、導電性が高い銅、銅合金等で形成されている複数の素線が巻きつけられた巻付導体層からなるため、隙間がある。当該隙間に、樹脂に磁性体を混合した材料が流れ込むと、外部導体層８の内部（中心導体に近い側）にまで磁性体が流れ込んでしまう。高周波電流は外部導体層８の内部に流れており、そこに磁性体があると電力の減衰が起きてしまう。このように、外部導体層８の内部に磁性体が侵入すると、外部導体層８による信号の伝送損失特性が劣化し、同軸ケーブル２による信号の伝送損失特性が劣化するおそれがある。
【００４３】  このような同軸ケーブル２の性能劣化を防止するために、本実施の形態１の同軸ケーブル２では、セパレータ層１０に隙間が形成されないようにテープ状の部材をらせん状に隙間なく巻いて形成している。具体的には、図４Ａ、４Ｂを用いて説明する。
【００４４】  図４Ａは、実施の形態１におけるセパレータ層１０を示す斜視図であり、図４Ｂは、図４ＡのＢ部の拡大図である。図４Ａ、４Ｂでは、電波吸収樹脂層１２および外皮１４の図示を省略している。
【００４５】  図４Ａに示すように、実施の形態１のセパレータ層１０は、テープ状の部材（テープ部材）２４をらせん状に巻いて形成されている。テープ部材２４は、同軸ケーブル２の軸方向Ｃに向かってらせん状となるように、軸方向Ｃを中心とするらせん方向Ｒに巻かれている。
【００４６】  本実施の形態１のテープ部材２４は、両面とも粘着機能を有しない面であり、単に巻き付けることで位置決めされている。
【００４７】  テープ部材２４は、２つの長辺として第１長辺２４ａと第２長辺２４ｂを有している。図４Ａに示すように、第１長辺２４ａを有する端部と第２長辺２４ｂを有する端部が互いに重なるように巻かれている。
【００４８】  このようなテープ部材２４の巻き方に関して、図５を用いてさらに説明する。図５は、セパレータ層１０および外部導体層８を同軸ケーブル２の周方向Ｐに展開した展開図である。
【００４９】  図５では、テープ部材２４の幅をｘ、外部導体層８の外周（１周分）をｙ、テープ部材２４の巻き付け角度（軸方向Ｃに対するテープ部材２４の第１長辺２４ａ、第２長辺２４ｂの傾斜角度）をθとしている。
【００５０】  図５の関係において、第１長辺２４ａと第２長辺２４ｂがちょうど重なるようにテープ部材２４を巻き付けた場合には、以下の式１が成り立つ。
【００５１】（式１）  ｃｏｓθ＝ｘ／ｙ
【００５２】  一方で、本実施の形態１のように第１長辺２４ａを有する端部と第２長辺２４ｂを有する端部が互いに重なるようにするために、以下の式２が成り立つように設計される。
【００５３】（式２）  ０＜ｃｏｓθ＜ｘ／ｙ
【００５４】  このようなテープ部材２４の傾斜角度の設定により、第１長辺２４ａを有する端部と第２長辺２４ｂを有する端部が互いに重なるように巻かれ、第１長辺２４ａと第２長辺２４ｂの間には隙間が形成されない。これにより、テープ部材２４の内側にある外部導体層８は露出せず、外部導体層８の外周全てがセパレータ層１０によって被覆される。このような構成によれば、セパレータ層１０によって外部導体層８と電波吸収樹脂層１２を完全に隔離することができるため、前述したように電波吸収樹脂層１２を押出成形する際に、電波吸収樹脂層１２を形成する材料中の磁性体が外部導体層８内部に侵入することを防止することができる。これにより、外部導体層８による信号の伝送損失特性の劣化を抑制することがでる。
【００５５】  次に、上述した同軸ケーブル２の製造方法の一例について、図６Ａ−図６Ｆを用いて説明する。
【００５６】  まず、中間体を準備する（ステップＳ１）。具体的には、図６Ａに示すように、中心導体層４と、絶縁体層６と、外部導体層８とを備える中間体２６を準備する。図６Ａに示す中間体２６では、中心導体層４、絶縁体層６および外部導体層８の軸方向Ｃの長さが全て同じである場合を例示する。
【００５７】  次に、セパレータ層１０を形成する（ステップＳ２）。具体的には、中間体２６の外部導体層８の周囲に、テープ部材２４をらせん状に巻き付ける。これにより、図６Ｂに示すように、外部導体層８の周囲を被覆するセパレータ層１０を形成する。図４Ａ、図５で説明した巻き付け角度をもってテープ部材２４を巻き付けることにより、テープ部材２４の第１長辺２４ａを含む端部と第２長辺２４ｂを含む端部同士が重なり、テープ部材２４には隙間が形成されないように形成することができる。
【００５８】  次に、電波吸収樹脂層１２を形成する（ステップＳ３）。具体的には、セパレータ層１０が形成された中間体２６の周囲に、押出機を用いて、樹脂に磁性体を混合した材料を押出成形する。これにより、図６Ｃに示すように、セパレータ層１０の周囲を被覆する電波吸収樹脂層１２を形成する。
【００５９】  前述したように、樹脂を含む材料により電波吸収樹脂層１２を形成することで、押出成形による製造が可能となる。これにより、樹脂ではなく粉体の材料を塗装して電波吸収樹脂層を形成する場合には実現できない押出成形による製造が可能となる。これにより、塗装形成の場合と比較して電波吸収樹脂層１２の形成にかかる時間を短縮することができる。
【００６０】  また、電波吸収樹脂層１２を構成する材料には磁性体が混合されているが、前のステップＳ２で形成したセパレータ層１０は隙間なく形成されているため、ステップＳ３の押出成形の際にも樹脂に含まれる磁性体は外部導体層８内部に流れ込まない。これにより、外部導体層８による信号の伝送損失特性の劣化を抑制させることができる。
【００６１】  次に、外皮１４を形成する（ステップＳ４）。具体的には、所定の材料（例えばＰＦＡ（ペルフルオロアルコキシフッ素樹脂））を用いて、例えば押出成形により、外皮１４を形成する。これにより、図６Ｄに示すように、電波吸収樹脂層１２の周囲を被覆する外皮１４を形成する。
【００６２】  このように、外皮１４および電波吸収樹脂層１２をともに押出成形により形成している。このような方法によれば、電波吸収樹脂層１２および外皮１４を連続的に形成することが可能となり、同軸ケーブル２の生産性を向上させることができる。
【００６３】  次に、外部導体層８を露出させる（ステップＳ５）。具体的には、例えば同軸ケーブルストリップ機を用いて、外部導体層８の外側にあるセパレータ層１０、電波吸収樹脂層１２および外皮１４を先端側から部分的に取り除く（ストリップする）。これにより、図６Ｅに示すように、外部導体層８が先端側から部分的に露出する。
【００６４】  ここで、セパレータ層１０は前述したように、テープ状部材２４が両面とも粘着面を有しないもので、単に巻き付けられて構成されている。よって、電波吸収樹脂層１２および外皮１４とともに外部導体層８の周囲から容易に取り除くことができる。
【００６５】  次に、絶縁体層６を露出させる（ステップＳ６）。具体的には、例えば同軸ケーブルストリップ機を用いて、絶縁体層６の外側にある外部導体層８を先端側から部分的に取り除く。これにより、図６Ｆに示すように、絶縁体層６が先端側から部分的に露出する。
【００６６】  上述したステップＳ１−Ｓ６により、図６Ｆに示すような、中心導体層４、絶縁体層６、外部導体層８、セパレータ層１０（図示せず）、電波吸収樹脂層１２（図示せず）および外皮１４を備える同軸ケーブル２を製造することができる。
【００６７】（実施の形態２）  本発明に係る実施の形態２の同軸ケーブルについて説明する。なお、実施の形態２では、主に実施の形態１と異なる点について説明し、実施の形態１と同一又は同等の構成については同じ符号を付して説明する。
【００６８】  実施の形態１では、セパレータ層１０を形成する際にテープ部材２４をらせん状に巻いて形成していたのに対して、実施の形態２では、テープ部材を周方向Ｐに巻いて形成する点（縦巻き）が、実施の形態１と異なる。
【００６９】  実施の形態２における同軸ケーブル３０のセパレータ層３２を図７Ａ、７Ｂに示す。図７Ａは、実施の形態２におけるセパレータ層３２を示す斜視図であり、図７Ｂは、図７ＡのＤ部の拡大図である。図７Ａ、７Ｂでは、電波吸収樹脂層１２および外皮１４の図示を省略している。
【００７０】  図７Ａに示すように、実施の形態２のセパレータ層３２は、軸方向Ｃに沿って延在するテープ部材３４を周方向Ｐに巻いて形成されている。
【００７１】  テープ部材３４は、２つの長辺として第１長辺３４ａと第２長辺３４ｂを有している。図７Ａに示すように、第１長辺３４ａと第２長辺３４ｂが軸方向Ｃと平行に延びた状態でテープ部材３４が周方向Ｐに巻かれ、第１長辺３４ａを有する端部と第２長辺３４ｂを有する端部が互いに重なるように構成されている。
【００７２】  このようにらせん巻きとは異なる巻き方であっても、第１長辺３４ａを有する端部と第２長辺３４ｂを有する端部が互いに重なるように巻かれ、第１長辺３４ａと第２長辺３４ｂの間には隙間が形成されない。これにより、テープ部材２４の内側にある外部導体層８は露出せず、外部導体層８の外周全てが被覆される。これにより、電波吸収樹脂層１２を押出成形で形成する際に、電波吸収樹脂層１２を形成する材料中の磁性体が外部導体層８内部に流れ込むことを防止することができ、同軸ケーブル３０による信号の伝送損失特性の劣化を抑制することができる。
【００７３】  実施の形態１、２のように、セパレータ層１０、３２を隙間なく形成するためには、外部導体層８の周囲にテープ部材が隙間なく重なるように巻いて形成すればよい。言い換えれば、テープ部材の第１長辺を含む端部および第２長辺を含む端部同士が互いに重なるように巻いて形成すればよい。
【００７４】  テープ部材の様々な巻き方の中でも特に、実施の形態１のように「らせん状」に巻いて形成する、あるいは、実施の形態２のように「縦巻き」で巻いて形成すれば、セパレータ層１０、３２を簡易な方法で形成することができる。
【００７５】  以上、上述の実施の形態１、２を挙げて本発明を説明したが、本発明は上述の実施の形態１、２に限定されない。例えば、実施の形態１、２では、セパレータ層１０、３２を形成するテープ部材２４、３４としてＰＥＴ（ポリエチレンテレフタレート）フィルムを用いる場合について説明したが、このような場合に限らず、ＰＥＴフィルム以外の任意のテープ部材を用いてもよい。例えばＰＥＴフィルムに代えて、ポリイミドフィルムを用いてもよい。あるいは、磁性体を含んだ箔、金属箔を用いてもよく、セパレータ層にも電波吸収機能を持たせてもよい。磁性体を含んだテープ部材で外部導体層８を被覆した場合、磁性体が外部導体層８にしみ込むことはなく、外部導体層８の表面に接するに留まる。外部導体層８の表面には高周波電流がほとんど流れていないため、磁性体が接触しても伝送損失特性の劣化を起こすことはない。このため、セパレータ層を形成するテープ部材に磁性体を含んだ箔、金属箔を用いて、セパレータ層に電波吸収機能を持たせた場合でも、伝送損失特性の劣化を抑制することができる。あるいは、樹脂に銅などを蒸着させたフィルムを用いてもよく、セパレータ層にシールド機能を持たせてもよい。このようにセパレータ層にも電波吸収機能やシールド機能を持たせることで、同軸ケーブル２、３０による信号の伝送損失特性の劣化をより抑制させることができる。一方、テープ部材２４、３４をＰＥＴフィルムやポリイミドフィルムで形成した場合、セパレータ層１０を安価に形成することができる。
【００７６】  また実施の形態１、２では、電波吸収樹脂層１２を形成する材料において、樹脂はウレタン系樹脂であり、磁性体はフェライトである場合について説明したが、このような場合に限らず、任意の樹脂（ＰＦＡなど）および任意の磁性体（金属粉など）を用いてもよい。ただし、樹脂をウレタン系樹脂とし、磁性体をフェライトとすることで、汎用的な材料を用いて電波吸収樹脂層１２の生産コストを低減することができる。
【００７７】  本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【００７８】  なお、前記様々な実施の形態および変形例のうちの任意の実施の形態あるいは変形例を適宜組み合わせることにより、それぞれの有する効果を奏するようにすることができる。
【産業上の利用可能性】
【００７９】  本発明は、同軸ケーブルおよびその製造方法並びに同軸ケーブル付き同軸コネクタであれば適用可能である。
【符号の説明】
【００８０】  ２  同軸ケーブル  ４  中心導体層  ６  絶縁体層  ８  外部導体層１０  セパレータ層１２  電波吸収樹脂層１４  外皮１６  同軸コネクタ１８  内部端子２０  外部端子２２  絶縁体２４  テープ部材（テープ状の部材）２４ａ  第１長辺２４ｂ  第２長辺２６  中間体３０  同軸ケーブル３２  セパレータ層３４  テープ部材（テープ状の部材）３４ａ  第１長辺３４ｂ  第２長辺  Ｃ  軸方向  Ｐ  周方向  Ｒ  らせん方向  θ  テープ部材の巻き付け角度  ｘ  テープ部材の幅  ｙ  外部導体層の外周
【図１Ａ】
2019021716.tif 000003
【図１Ｂ】
2019021716.tif 000004
【図２】
2019021716.tif 000005
【図３】
2019021716.tif 000006
【図４Ａ】
2019021716.tif 000007
【図４Ｂ】
2019021716.tif 000008
【図５】
2019021716.tif 000009
【図６Ａ】
2019021716.tif 000010
【図６Ｂ】
2019021716.tif 000011
【図６Ｃ】
2019021716.tif 000012
【図６Ｄ】
2019021716.tif 000013
【図６Ｅ】
2019021716.tif 000014
【図６Ｆ】
2019021716.tif 000015
【図７Ａ】
2019021716.tif 000016
【図７Ｂ】
2019021716.tif 000017
【手続補正書】
【提出日】令和2年1月22日(2020.1.22)
【手続補正１】
【補正対象書類名】明細書
【補正対象項目名】０００８
【補正方法】変更
【補正の内容】
【０００８】
また本発明の同軸ケーブル付き同軸コネクタは、前記同軸ケーブルと、前記同軸ケーブルの前記中心導体層に接続される内部端子と、前記同軸ケーブルの前記外部導体層に接続される外部端子と、前記内部端子と前記外部端子との間に配置される絶縁性部材と、を備え、前記内部端子および前記外部端子を介して相手方コネクタに接続される。
【手続補正２】
【補正対象書類名】明細書
【補正対象項目名】００１９
【補正方法】変更
【補正の内容】
【００１９】
本発明の第７態様によれば、第１態様から第６態様のいずれか１つに記載の同軸ケーブルと、前記同軸ケーブルの前記中心導体層に接続される内部端子と、前記同軸ケーブルの前記外部導体層に接続される外部端子と、前記内部端子と前記外部端子との間に配置される絶縁性部材と、を備え、前記内部端子および前記外部端子を介して相手方コネクタに接続される、同軸ケーブル付き同軸コネクタを提供する。
【手続補正３】
【補正対象書類名】特許請求の範囲
【補正対象項目名】全文
【補正方法】変更
【補正の内容】
【特許請求の範囲】
【請求項１】
中心導体層と、
前記中心導体層の周囲を被覆する絶縁体層と、
前記絶縁体層の周囲を被覆する外部導体層と、
前記外部導体層の周囲を被覆するセパレータ層と、
前記セパレータ層の周囲を被覆する電波吸収樹脂層と、
前記電波吸収樹脂層の周囲を被覆する外皮と、を備え、
前記電波吸収樹脂層は、樹脂中に磁性体を混合した材料で形成された、磁性を有した樹脂であって、
前記セパレータ層は、前記外部導体層の周囲にテープ状の部材が隙間なく重なるように巻いて形成されている、同軸ケーブル。
【請求項２】
前記セパレータ層は、前記テープ状の部材を前記同軸ケーブルの軸方向に向かって、らせん状に巻いて形成されている、請求項１に記載の同軸ケーブル。
【請求項３】
前記セパレータ層は、前記テープ状の部材の長辺を前記同軸ケーブルの軸方向と平行として前記テープ状の部材を前記同軸ケーブルの周方向に巻いて形成されている、請求項１に記載の同軸ケーブル。
【請求項４】
前記セパレータ層を構成する前記テープ状の部材はＰＥＴフィルムである、請求項１から３のいずれか１つに記載の同軸ケーブル。
【請求項５】
前記セパレータ層を構成する前記テープ状の部材には磁性体が含まれる、請求項１から４のいずれか１つに記載の同軸ケーブル。
【請求項６】
前記電波吸収樹脂層を形成する前記材料において、前記樹脂はウレタン系樹脂であり、前記磁性体はフェライトである、請求項１から５のいずれか１つに記載の同軸ケーブル。
【請求項７】
前記請求項１から６のいずれか１つに記載の同軸ケーブルと、
前記同軸ケーブルの前記中心導体層に接続される内部端子と、
前記同軸ケーブルの前記外部導体層に接続される外部端子と、
前記内部端子と前記外部端子との間に配置される絶縁性部材と、を備え、
前記内部端子および前記外部端子を介して相手方コネクタに接続される、同軸ケーブル付き同軸コネクタ。
【請求項８】
同軸ケーブルの製造方法であって、
中心導体層と、前記中心導体層の周囲を被覆する絶縁体層と、前記絶縁体層の周囲を被覆する外部導体層とを備える中間体を準備するステップと、
前記中間体の周囲にテープ状の部材を隙間なく重なるように巻くことにより、前記外部導体層の周囲を被覆するセパレータ層を形成するステップと、
前記セパレータ層が形成された前記中間体の周囲に、樹脂中に磁性体を混合した材料を押出成形することにより、磁性を有した樹脂であって前記セパレータ層の周囲を被覆する電波吸収樹脂層を形成するステップと、
前記電波吸収樹脂層の周囲を被覆するように外皮を形成するステップと、
を含む、同軸ケーブルの製造方法。
【請求項９】
前記セパレータ層を形成するステップは、前記テープ状の部材を前記同軸ケーブルの軸方向に向かって、らせん状に巻くステップを含む、請求項８に記載の同軸ケーブルの製造方法。
【請求項１０】
前記セパレータ層を形成するステップは、前記テープ状の部材の長辺を前記同軸ケーブルの軸方向と平行として前記テープ状の部材を前記同軸ケーブルの周方向に巻くステップを含む、請求項８に記載の同軸ケーブルの製造方法。
【請求項１１】
前記セパレータ層を形成するステップでは、前記テープ状の部材として、ＰＥＴフィルムを用いる、請求項８から１０のいずれか１つに記載の同軸ケーブルの製造方法。
【請求項１２】
前記セパレータ層を形成するステップでは、前記テープ状の部材として、磁性体を含むテープ状の部材を用いる、請求項８から１１のいずれか１つに記載の同軸ケーブルの製造方法。
【請求項１３】
前記電波吸収樹脂層を形成するステップでは、前記樹脂がウレタン系樹脂、前記磁性体がフェライトである材料を押出成形することにより、前記電波吸収樹脂層を形成する、請求項８から１２のいずれか１つに記載の同軸ケーブルの製造方法。
【国際調査報告】
2019021716.tif 000018
2019021716.tif 000019
2019021716.tif 000020
2019021716.tif 000021